(57)【要約】      （修正有）【課題】観賞用水槽としてインテリア性や照明のメンテナンス性が高いものを提供する。【解決手段】水槽と、水槽を載せる飾り台を備えた観賞用水槽であって、飾り台内部に水槽を水槽底部から照明するための照明装置を有し、かつ、水槽底部および／または飾り台の水槽を載せる面が照明からの光を一部透過する素材で形成されていることを特徴とする観賞用水槽。【選択図】図１
0003133990.tif 000002
【実用新案登録請求の範囲】
【請求項１】
水槽と、水槽を載せる飾り台を備えた観賞用水槽であって、飾り台内部に水槽を水槽底部から照明するための照明装置を有し、かつ、水槽底部および／または飾り台の水槽を載せる面が照明からの光を一部透過する素材で形成されていることを特徴とする観賞用水槽。
【請求項２】
照明からの光を一部透過する素材が、乳白色のアクリルである請求項１記載の観賞用水槽。
【請求項３】
さらに、飾り台内部に光感知センサーを有するものである請求項１または２に記載の観賞用水槽。
【請求項４】
さらに、水面を照明するための照明装置を有するものである請求項１ないし３のいずれかに記載の観賞用水槽。
【請求項５】
水槽の側面が透明な素材で形成されたものである請求項１ないし４のいずれかに記載の観賞用水槽。
【請求項６】
透明な素材が、アクリルである請求項５に記載の観賞用水槽。
【請求項７】
飾り台の側面が照明からの光を一部透過する素材で形成されたものである請求項１ないし６のいずれかに記載の観賞用水槽。
【請求項８】
照明からの光を一部透過する素材が、乳白色のアクリルである請求項７に記載の観賞用水槽。
【請求項９】
飾り台内部に照明の反射板を有するものである請求項１ないし８のいずれかに記載の観賞用水槽。
【考案の詳細な説明】
【考案の詳細な説明】
【技術分野】
【０００１】  本考案は、水槽と水槽を照明するための飾り台とを組み合わせた観賞用装置に関する。
【背景技術】
【０００２】  これまで観賞用水槽としては、水槽とそれを載せる飾り台がセットになったものや、水槽と水槽の上面から照明するための照明装置がセットになったものが知られている。【０００３】  しかしながら、上記のような従来の観賞用水槽、例えば、水槽と飾り台とセットになった観賞用水槽では飾り台が単なる木製でデザインも悪いものが多く、インテリア性が低かった。また、照明装置とセットになった観賞用水槽では照明装置のスイッチが手動のものが多く、水槽の設置場所が明るい時等は自ら照明装置スイッチを入り切りしなければならずメンテナンスが面倒であった。
【考案の開示】
【考案が解決しようとする課題】
【０００４】  従って、本考案は観賞用水槽としてインテリア性や照明のメンテナンス性が高いものを提供することを課題とした。
【課題を解決するための手段】
【０００５】  本考案者らは上記課題を解決するために研究した結果、水槽を載せる飾り台自体に照明機能を持たせ、水槽底部から水槽を照明することによりインテリア性を高める事ができることを見出し、本考案を完成させた。また、照明装置のスイッチとして光感知センサーを用いることにより照明のメンテナンスが容易になることを見出し、本考案を完成させた。【０００６】  すなわち、本考案は水槽と、水槽を載せろ飾り台を備えた観賞用水槽であって、飾り台内部に水槽を水槽底部から照明するための照明装置を有し、かつ、水槽底部および／または飾り台の水槽を載せる面が照明からの光を一部透過する素材で形成されていることを特徴とする観賞用水槽である。【０００７】  また、本考案は、上記観賞用水槽の飾り台内部に光感知センサーを有するものである。
【考案の効果】
【０００８】  本考案によれば、観賞用水槽自体に照明機能を持たせ、水槽底部から水槽を照明することで全体的に光っているイメージを持つ事ができ、特に暗い室内におけるインテリア性を高めることができる。また、照明装置のスイッチとして光感知センサーを用いれば、一人暮らしの人の帰宅時など暗い室内に明かりを予め点けておくことができるので、防犯面および、安心感を提供する事ができる。【０００９】  また、本考案の観賞用水槽には、通常水槽に入れる、金魚等の魚類、亀等の爬虫類、水草等の植物の他に、観葉植物、フィギュア、インテリア雑貨等を入れて飾ることもできる。
【考案を実施するための最良の形態】
【００１０】  以下、本考案を具体化した実施形態を図面を参照しながら詳細に説明する。実施形態の一例である観賞用水槽１は、図１に示すように水槽２と水槽を載せる飾り台３を備える。この観賞用水槽１は、図２に示すように飾り台３の内部に水槽２を水槽底部から照明するための照明装置４を有し、かつ、水槽底部２ａおよび／または飾り台の水槽を載せる面３ａが照明からの光を一部透過する素材で形成されているものである。【００１１】  水槽２は、水槽全面が透明な素材（以下、「透明素材」という）で構成されるか、水槽の側面が前記の透明素材で構成され、かつ、水槽の底部２ａが水槽を載せる飾り台３に設置された照明装置４からの光を一部透過する素材（以下、「一部透過素材」という）で構成される。透明素材としては、ガラス、アクリル等が挙げられる。また、一部透過素材としては、例えば、乳白色のアクリルであり、全光線透過率が２０〜９０％、好ましくは４０〜６５％、光線反射率が１５〜５０％、好ましくは３０〜４５％のものが挙げられる。このような乳白色のアクリルの市販品としては、スミスペック０３０、０３２、０４０、０４３、０５０、０５５（いずれも住友化学製）等があげられ、これらの中でもスミペックス０３２が好ましい。水槽の厚みは特に制限されないが、例えば、２〜５ｍｍが好ましい。また、水槽の形は飾り台に載せられる形であれば特に制限されず、例えば、立方体、直方体、円柱、球状等のいずれでも良い。【００１２】  水槽２を載せる飾り台３は、内部に水槽を水槽底部から照明するための照明装置４を有する。また、飾り台３は、飾り台の水槽を載せる面３ａを、前記の透明素材または前記の一部透過素材で構成することができるものであれば、その形状、材質には特に制限されないが、飾り台の側面が前記の透明素材または一部透過素材で構成されたものが好ましく、特に一部透過素材で構成されたものが好ましい。【００１３】  飾り台３内部の照明装置４は、水槽２を水槽底部から照明することができるものであれば特に制限されず、冷陰極管、ＬＥＤ等が挙げられる。これらの照明装置の中でも、消費電力が少なく発熱も少ないＬＥＤが好ましく、特に小型の高輝度広反射角のＬＥＤが好ましい。また、飾り台内部には照明を反射するための反射板を備えても良い。反射板としては、金属板、アクリルミラー、鏡、白色アクリル板等が挙げられる。反射板は飾り台の底部としとも良い。【００１４】  また、本考案の観賞用水槽１の飾り台３の内部には、さらに光感知センサーを備えることもできる。この光感知センサーは照明装置４からの光を感知しないように設置することが好ましい。この光感知センサーを照明装置のスイッチに使用すれば、一人暮らしの人の帰宅時など暗い室内に明かりを予め点けておくことができるので、防犯面および安心感を提供する事ができる。【００１５】  さらに、本考案の観賞用水槽１には、水面を照明する装置を備えることもできる。この水面を照明する装置としては、例えば、照明を備えた天板、水槽や飾り台から伸びたフレキシブルなアームの先端に照明をつけたもの等が上げられる。この照明としては特に制限されないが、消費電力が少なく発熱の少ないＬＥＤが好ましく、特に小型の高輝度広反射角のＬＥＤが好ましい。【００１６】  なお、本考案においては、水槽底部２ａおよび／または飾り台３の水槽２を載せる面３ａを一部透過素材で構成することによって水槽２に水等を張った際に側面から見た場合でも飾り台３内部の照明の光の雰囲気を見せることができる。これらの面が両方透明素材で構成された場合は光が底面で完全に反射してしまい照明の光を見る事ができない。
【実施例】
【００１７】以下に実施例を挙げて本考案を詳細に説明するが、本考案はこれらの実施例に何ら制限されない。【００１８】実施例１
観賞用水槽（１）：
縦１７０ｍｍ、横１２４ｍｍ、厚さ３ｍｍの透明なアクリル板（スミペックスＥ０００：住友化学製）を水槽の前面および背面とし、縦１７０ｍｍ、横１３０ｍｍ、厚さ３ｍｍの透明なアクリル板（スミペックスＥ０００：住友化学製）を両側面とし、縦１２４ｍｍ、横１２４ｍｍ、厚さ３ｍｍ乳白色のアクリル板（スミペックスＥ０３２：住友化学製）を水槽の底部として、これらをアクリル用接着剤（アクリサンデー：アクリル樹脂用接着剤）で接着して水槽を作製した。【００１９】  次に、縦４０ｍｍ、横１５５ｍｍ、厚さ３ｍｍ乳白色のアクリル板（スミペックス０３２：住友化学製）を飾り台の前面及び背面とし、縦４０ｍｍ、横１４９ｍｍ、厚さ３ｍｍ乳白色のアクリル板（スミペックス０３２：住友化学製）を両側面とし、縦横１５５ｍｍ、厚さ３ｍｍ乳白色のアクリル板（スミペックスＥ０３２：住友化学製）を飾り台の水槽を載せる面とし、縦横１４９ｍｍ、厚さ３ｍｍのアクリルミラー（リョーコー：アクリミラー）を飾り台の底部とし、これらをアクリル用接着剤（アクリサンデー：アクリル樹脂用接着剤）で接着して飾り台を作製した。なお、飾り台の内部には照明装置として高輝度広反射角のＬＥＤを設置した。【００２０】  最後に、飾り台の上に、水槽を載せ、観賞用水槽を作製した。水槽に水を張り、照明装置のスイッチを入れたところ、観賞用水槽全体が全体的に光っているように見えた。【００２１】実施例２
観賞用水槽（２）：
飾り台の内部に光感知センサーを照明装置からの光を感知しないように設置した以外は実施例１と同様にして観賞用水槽を作製した。【００２２】実施例３
観賞用水槽（３）：
飾り台の外面に、フレキシブルなアームを取り付け、その先端に水面を照明するためのＬＥＤをつけたものを取り付けた以外は実施例１と同様にして観賞用水槽を作製した。
【図面の簡単な説明】
【００２３】
【図１】本考案の観賞用水槽の実施形態の一例を示す斜視図である。
【図２】図１のａ−ａ’断面図である。
【符号の説明】
【００２４】１．．．観賞用水槽  ２．．．水槽  ２ａ．．．水槽底部  ３．．．飾り台  ３ａ．．．飾り台の水槽を載せる面  ４．．．照明装置（高輝度広反射角のＬＥＤ）
【図１】
0003133990.tif 000003
【図２】
0003133990.tif 000004